(57)【要約】【課題】本発明は、三段式のスライドレールにおいて、スライドレールの伸長時には、中間メンバーより先にインナーメンバーが伸長し、スライドレールの収縮時には、インナーメンバーより先に中間メンバーが収縮する伸縮順序機構付きスライドレールの提供を課題とする。【解決手段】中間メンバーに可動体、アウターメンバーに当接体、インナーメンバーに当接解除部と、係合部を設け、収縮した状態からインナーメンバーが伸長する際、当接体に可動体が当接し、中間メンバーの摺動が防止され、インナーメンバーの伸長に伴い、当接解除部によって当接状態が解除され、中間メンバーの伸長が可能となる一方、インナーメンバーが伸長した状態で、インナーメンバーの係合部と中間メンバーの可動体が係合し、係合によりインナーメンバーと中間メンバーが一体的に摺動し、中間メンバーの収縮移動に伴い、当接体によって係合が解除され、インナーメンバーが収縮する。【選択図】図５
2019010430.tif 000002
【特許請求の範囲】
【請求項１】
少なくともインナーメンバー、中間メンバー、アウターメンバーを備えた三段式のスライドレールにおいて、中間メンバーに可動体、アウターメンバーに可動体と当接する当接体、インナーメンバーに当接解除部と、可動体と係合する係合部を備え、収縮した状態のスライドレールからインナーメンバーが伸長側に摺動する際、前記当接体に前記可動体が当接することによって、中間メンバーの伸長方向への摺動を防止し、インナーメンバーの伸長方向への摺動に伴い、前記当接解除部によって当接体と可動体の当接状態が解除され、中間メンバーの伸長方向への摺動が可能となる一方、インナーメンバーが伸長した状態からインナーメンバーの収縮側への摺動に伴い、インナーメンバーの係合部と中間メンバーの可動体が係合し、該係合によりインナーメンバーと中間メンバーが一体的に収縮側に摺動し、インナーメンバーと中間メンバーの一体的な収縮側への摺動に伴い、当接体によって係合部と可動体の係合状態が解除され、インナーメンバーの収縮方向への摺動が可能となることを特徴とするスライドレール。
【請求項２】
当接体は、被当接部と係合解除部を備え、係合部は、少なくともインナーメンバーの収縮方向の摺動で中間メンバーと係合するものであって、可動体は、前記被当接部に当接する当接部と、インナーメンバーの係合部と係合する係合片を備え、被当接部に当接しうる状態と、被当接部との当接が解除される状態となるように可動可能とされるとともに、当接部が被当接部に当接しうる状態に付勢力が付与され、当接解除部との接触により、該付勢力に抗して可動体が可動され、被当接部と当接部の当接が解除される一方、該付勢力によって係合片とインナーメンバーの係合部が係合し、前記係合解除部との接触により、付勢力に抗して可動体が可動され、係合片と係合部の係合が解除されることを特徴とする請求項１に記載のスライドレール。
【請求項３】
可動体は、中間メンバーの伸長側端部に設けられ、当接体は、前記可動体側となるアウターメンバーの端部に設けられ、当接解除部の位置は、インナーメンバーの摺動方向で適宜設定可能とされることを特徴とする、請求項１、あるいは、請求項２に記載のスライドレール。
【発明の詳細な説明】
【技術分野】
【０００１】
本発明は、インナーメンバー、中間メンバー、アウターメンバーを備えた三段式のスライドレール関するものである。
【背景技術】
【０００２】
インナーメンバー、中間メンバー、アウターメンバーを備える三段式のスライドレールは、インナーメンバーと中間メンバー、中間メンバーとアウターメンバーをそれぞれ、ボールを回転自在に保持するボールリテーナーを介して摺動自在とされる。
そして、インナーメンバー、あるいは、アウターメンバーを固定側レールとし、固定側レールの他方側のインナーメンバー、あるいは、アウターメンバーを移動側レールとし、移動側レールの移動に合わせて、前記ボールの作用により、中間メンバーが移動するものである。一般的にはインナーメンバーが移動側として使用されることが多い。
このようなスライドレールは、移動側レールの摺動に追従して中間メンバーも摺動移動する。そのため、スライドレールの最縮小時に中間メンバーとインナーメンバーがアウターメンバーの摺動方向長さ内に納まる長さに設定され、さらにインナーメンバーが中間メンバーより短長に設定されたスライドレールで、インナーメンバーを移動側レールとした場合、縮められた状態のスライドレールから、インナーメンバーを伸長方向に移動させると、中間メンバーがボールを介してインナーメンバーの動きに追従するため、中間メンバーの移動側端がインナーメンバーより先にアウターメンバー（固定側レール）から飛び出すこととなる。
他方、スライドレールに加わる荷重や移動速度によって、中間メンバーは、移動側レールの摺動に合わせて常に一定の動きとはならないことがある。
【０００３】
このような問題を解決するため、先行技術文献１（特許文献１）に示すように、移動レールの移動と中間メンバーの移動をそれぞれ、突起とくぼみによる規制手段を設け、突起とくぼみの係脱抵抗を利用し一時的に規制して、移動側レールと固定側レールより中間レールが飛び出した状態とならないようなスライドレールが考案されている。
しかしながら、上記スライドレールは、レールの移動の一時的な規制を、突起とくぼみの係脱抵抗によって行うため、スライドレールに設置された収納体などを動かす（引き出す）時、動かし方によってスライドレールに加わる荷重が変化するため、一時的な規制が確実ではなかった。特に収納体などを強く引き出した場合、突起とくぼみの一時的な規制手段に、設定されている突起とくぼみの係脱抵抗以上の力が加わり、設定外のタイミングで突起とくぼみの係脱が外れることとなる。
また、一時的な規制の確実性を高めようとすると、係脱抵抗を大きく設定することとなり、一時的な規制手段の係脱時には大きな抵抗が発生する。そのため、スライドレールの引き出し時、あるいは、収納時に、スライドレールのスムーズな動きが阻害されやすい問題があった。
【先行技術文献】
【特許文献】
【０００４】
【特許文献１】特開平１―１１５３０９号公報
【発明の概要】
【発明が解決しようとする課題】
【０００５】
本発明は、三段式のスライドレールにおいて、インナーメンバーと中間メンバーの移動を一時的に規制させる伸縮順序機構付きスライドレール、より具体的には、スライドレールの伸長時には、中間メンバーより先にインナーメンバーが伸長し、スライドレールの収縮時には、インナーメンバーより先に中間メンバーが収縮する伸縮順序機構付きスライドレールの提供を課題とするものである。
【課題を解決するための手段】
【０００６】
上記課題を解決する為、本発明が第１の手段として構成したところは、少なくともインナーメンバー、中間メンバー、アウターメンバーを備えた三段式のスライドレールにおいて、中間メンバーに可動体、アウターメンバーに可動体と当接する当接体、インナーメンバーに当接解除部と、可動体と係合する係合部を備え、収縮した状態のスライドレールからインナーメンバーが伸長側に摺動する際、前記当接体に前記可動体が当接することによって、中間メンバーの伸長方向への摺動を防止し、インナーメンバーの伸長方向への摺動に伴い、前記当接解除部によって当接体と可動体の当接状態が解除され、中間メンバーの伸長方向への摺動が可能となる一方、インナーメンバーが伸長した状態からインナーメンバーの収縮側への摺動に伴い、インナーメンバーの係合部と中間メンバーの可動体が係合し、該係合によりインナーメンバーと中間メンバーが一体的に収縮側に摺動し、インナーメンバーと中間メンバーの一体的な収縮側への摺動に伴い、当接体によって係合部と可動体の係合状態が解除され、インナーメンバーの収縮方向への摺動が可能となるものである。
【０００７】
上記課題を解決する為、本発明が第２の手段として構成したところは、第１の手段として構成したところに加え、当接体は、被当接部と係合解除部を備え、係合部は、少なくともインナーメンバーの収縮方向の摺動で中間メンバーと係合するものであって、可動体は、前記被当接部に当接する当接部と、インナーメンバーの係合部と係合する係合片を備え、被当接部に当接しうる状態と、被当接部との当接が解除される状態となるように可動可能とされるとともに、当接部が被当接部に当接しうる状態に付勢力が付与され、当接解除部との接触により、該付勢力に抗して可動体が可動され、被当接部と当接部の当接が解除される一方、該付勢力によって係合片とインナーメンバーの係合部が係合し、前記係合解除部との接触により、付勢力に抗して可動体が可動され、係合片と係合部の係合が解除されるものである。
【０００８】
上記課題を解決する為、本発明が第３の手段として構成したところは、第１の手段、あるいは、第２の手段として構成したところに加え、
可動体は、中間メンバーの伸長側端部に設けられ、当接体は、前記可動体側となるアウターメンバーの端部に設けられ、当接解除部の位置は、インナーメンバーの摺動方向で適宜設定可能とされるものである。
【発明の効果】
【０００９】
本発明の第１の手段として構成したところによると、中間メンバーは、インナーメンバーが所定の位置まで伸長しないと摺動できないため、インナーメンバーより先に中間メンバーがアウターメンバーから突出することを防止できるばかりか、中間メンバーの摺動規制の解除は、インナーメンバーの当接解除部で直接可能であるため、インナーメンバーの摺動量に合わせて中間メンバーの摺動規制の解除が可能であり、設定とおりに安定的に、インナーメンバーの摺動位置に対する中間メンバーの摺動移動を規制できる。
また、伸長したインナーメンバーは、中間メンバーが所定の位置まで収縮しないと収縮側に摺動できないため、インナーメンバーが先に収縮し、中間メンバーがアウターメンバーから突出した状態で残ることを防止できるばかりか、インナーメンバーの摺動規制の解除は、アウターメンバーの係合解除部で直接可能であるため、中間メンバーの摺動量に合わせてインナーメンバーの摺動規制の解除が可能であり、設定とおりに安定的に、中間メンバーの摺動位置に対するインナーメンバーの摺動移動を規制できる。
【００１０】
本発明の第２の手段として構成したところによると、第１の手段として構成したところの効果に加え、可動体は、可動可能とされるとともに、当接部が被当接部に当接しうる状態への付勢力が付与されているため、スライドレールの伸長、収縮の一連の動作で、中間メンバー、あるいは、インナーメンバーの摺動の規制、解除が行えるので、スライドレールの伸長、収縮の操作以外、特段の操作を必要としない。
また、スライドレールの伸長、収縮の一連の動作で中間メンバー、あるいは、インナーメンバーの摺動の規制、解除が行えるのでスライドレールの伸長、収縮の動きがスムーズである。
【００１１】
本発明の第３の手段として構成したところによると、当接解除部をインナーメンバーの摺動方向で適宜設定可能であるため、スライドレールの伸長時、中間メンバーが摺動可能となる時のインナーメンバーと中間メンバーの位置関係を、スライドレールに取り付けられ摺動自在とされる物品の用途に合わせて設定することができる。
また、インナーメンバーが完全に伸長してから、中間メンバーの移動規制を解除することや、インナーメンバーの伸長側端が中間メンバーの伸長側端が揃った位置から中間メンバーの移動規制を解除することもできる。そのため、インナーメンバーを中間メンバーに対して極端に短長に設定することも可能である。
【図面の簡単な説明】
【００１２】
【図１】第１実施例のスライドレールの最収縮時の正面側斜視図
【図２】スライドレールの基本断面図
【図３】本発明を具備した第１実施例のスライドレールの最伸長時の背面側斜視図
【図４】図１のＡ部拡大図
【図５】図３のＢ部拡大図
【図６】スライドレールの最収縮時のスライドレールの伸長端側付近の説明図
【図７】インナーメンバーが伸長側に摺動し、可動体に接触した時の説明図
【図８】当接解除部によって、中間メンバーの移動規制が解除された時の説明図
【図９】係合片と係合部が係合し、インナーメンバーが収縮側に移動する時の説明図
【図１０】インナーメンバーが伸長側移動し、係合部から係合片が外れる時の説明図
【図１１】中間メンバーとインナーメンバーが収縮側移動し、当接体によって係合部から係合片が外れる時の説明図
【図１２】第２実施例のスライドレールの最伸長時の背面側斜視図
【図１３】図１２のＣ部拡大図
【図１４】第２実施例のスライドレールの最収縮時のスライドレールの伸長端側付近の説明図
【図１５】第２実施例の当接解除部によって、中間メンバーの移動規制が解除された時の説明図
【図１６】第２実施例の係合片と係合部が係合し、インナーメンバーが収縮側に移動する時の説明図
【発明を実施するための最良の形態】
【００１３】
本発明は、少なくともインナーメンバー、中間メンバー、アウターメンバーを備えた三段式のスライドレールにおいて、アウターメンバーに、被当接部と係合解除部を備えた当接体を、中間メンバーの伸長側となる端部に設け、中間メンバーに、当接部と係合片を備えた可動体を、中間メンバーの伸長側端部に設けるとともに、当接部が被当接部に当接しうる状態と、被当接部との当接が解除される状態となるように可動可能とするとともに、当接部が被当接部に当接しうる状態に付勢力を付与し、インナーメンバーに、当接解除部と、係合部をインナーメンバーの摺動方向で適宜設定可能に設け、収縮した状態のスライドレールからインナーメンバーが伸長側に摺動する際、前記当接体に前記可動体を当接させることによって、中間メンバーの伸長方向への摺動を防止し、インナーメンバーの伸長方向への摺動に伴い、前記当接解除部により当接体と可動体の当接状態を解除し、中間メンバーの伸長方向への摺動を可能とする一方、インナーメンバーが伸長した状態で、インナーメンバーの係合部と中間メンバーの可動体の係合片を係合させ、該係合によりインナーメンバーと中間メンバーを一体的に摺動させ、該係合状態から、インナーメンバーと中間メンバーの一体的な収縮側への摺動に伴い、当接体の係合解除部によって、係合部と可動体の係合状態を解除し、インナーメンバーの収縮方向への摺動が可能となるものである。
【実施例】
【００１４】
スライドレールの基本的構成を図１、図２  図３に基づいて説明する。
スライドレール１００は、アウターメンバー１と、アウターメンバー１に対し、アウター側ボールリテーナー３に回転自在に保持された複数個のボール３０・・・を介して摺動自在に設けられた中間メンバー４と、中間メンバー４に対し、インナー側ボールリテーナー５に回転自在に保持された複数個のボール５０・・・を介して摺動自在に設けられたインナーメンバー２より構成され、アウターメンバー１の中間メンバー４側の内面で伸長側端部１０１に当接体１０が設けられ、中間メンバー４のインナーメンバー２側の内面で伸長側端部４０１に可動体６が設けられている。
【００１５】
以後、図１で左下方向を伸長側、右上方向を収縮側として説明する。
アウターメンバー１は、基板１ａと、上下折曲縁１ｂ、１ｂよりチャンネル型に形成され、上下折曲縁１ｂ、１ｂ内面側に位置する複数個のボール３０・・・を介して、中間メンバー４を摺動自在に保持している。
複数個のボール３０・・・は、合成樹脂材や薄板鋼板で成形された長尺平板状のアウター側ボールリテーナー３に回転自在に保持され、アウター側ボールリテーナー３はアウターメンバー１のほぼ３分の１程度の長さに形成されている。
【００１６】
そして、アウターメンバー１の基板１ａの伸長側端部には、前記アウター側ボールリテーナー３の伸長方向への摺動範囲を規制するリテーナー前ストッパー（図示せず。）が形成され、アウターメンバー１の収縮側端部内面には、中間メンバー４の収縮方向への摺動を停止させる中間メンバー後端ストッパーが形成されている。
【００１７】
中間メンバー４は、当接体１０、可動体６が取り付けられる分、アウターメンバー１より短い長さで、基板４ａと上下折曲縁４ｂ、４ｂよりアウターメンバー１と同方向の略チャンネル型に形成され、基板４ａの上下方向の中間部に、インナーメンバー２側に凹んだ基材凹部４ｃが形成され、上下折曲縁４ｂ、４ｂの外面に、摺動方向に渡って前記ボール３０・・・が転動する外面側ボール摺動溝を有し、上下折曲縁４ｂ、４ｂの内面に、摺動方向に渡ってボール５０・・・が転動する内面側ボール摺動溝を有している。
そして、基板４ａの収縮側の上下端部には、中間メンバー４の最大引出し（伸長）時に、前記アウターメンバー１のリテーナー前ストッパー（図示せず。）に伸長側端部が当接したアウター側ボールリテーナー３の収縮側端部に当接して、中間メンバー４の最大引出し（伸長）量を規制するリテーナー後ストッパー（図示せず。）が形成され、基板４ａの伸長側端部内面に、インナーメンバー２が最大引出し（伸長）状態となった時、インナー側ボールリテーナー５の伸長側端部が当接する前ストッパー部材４１が着脱自在に設けられている。
【００１８】
複数個のボール５０・・・は、合成樹脂材や薄板鋼板で成形された長尺平板状のインナー側ボールリテーナー５に回転自在に保持され、インナー側ボールリテーナー５は中間メンバー４のほぼ半分程度の長さに形成されている。
【００１９】
インナーメンバー２は、中間メンバー４の略３／４の長さに形成され、インナー側ボールリテーナー５に保持されたボール５０・・・を介して中間メンバー４に対して摺動自在とされ、金属製の細条板の短手両端部を外向き円弧状に折り曲げて形成され、外面長手方向にボール５０・・・のボ−ル摺動溝を有する上下折曲縁２ｂ、２ｂと基板２ａより断面略Ｃ字型に形成されている。
【００２０】
そして、基板２ａの収縮側端部には、インナーメンバー２の最大伸長時に、前記中間メンバー４の前ストッパー部材４１に伸長側端部が当接して停止したインナー側ボールリテーナー５の収縮側端部に当接して、インナーメンバー２の最大伸長量を規制する後ストッパー部材２００が中間メンバー側に突出して設けられている。
【００２１】
当接体１０は、アウターメンバー１の伸長側端部の基材１ａの一部を中間メンバー４側に押し曲げ突出させることにより形成されており、当接体１０の収縮側端面の被当接部１１と、当接体１０の伸長側端面から上面にかけて曲線状に形成された係合解除部１２を有している。当接体１０の突出高さは、前述の中間メンバー４の基材凹部４ｃに納まる高さに設定されているので、中間メンバー４の摺動時に干渉することはない。
当然ながら、当接体１０はアウターメンバー１と別体なものを取り付けてもよく、被当接部１１と係合解除部１２を別個に設けてもよいが、該方法とするほうが、部品点数が少なく、製作コストも安価にできる。
【００２２】
可動体６は、中間メンバー４の伸長側で基材４ａの一部を、アウターレール１側に押し曲げ形成される伸長側端部４０１に、支軸６０で上下方向に回動可能に取り付けられており、付勢ばね６３にて下向きに回動するように付勢されている。
可動体６は、板状基材６ａの収縮側に支軸６０に対応した軸孔が形成され、伸長側に付勢ばね６３の伸長側端部が挿入される固定孔が形成され、板状基材６ａの伸長側上面がアウターメンバー側に折り曲げられ、当接片６１ａが形成され、当接片６１ａの伸長側端面に傾斜面を形成し当接部６１とされ、板状基材６ａの伸長側下端が下方部に延伸し、下方部に向かって先細りとなる逆三角形状の係合片６２が形成された構成である。
そして、このように構成された可動体６は、当接片６１ａと係合片６２が中間メンバー４の伸長側端より前（伸長側）に飛び出す形で前述のように回動可能に取り付けられている。
【００２３】
可動体６は、付勢ばね６３にて、下向きに付勢されているが、付勢ばねを用いなくとも可動体６の自重にて下向きに付勢してもよい。しかしながら、図２における上下方向を水平方向としてスライドレール１００を使用することもあり、この場合、可動体６の自重による付勢では対応できないので、付勢ばねを用いる方法が様々な用途に対応することができるのでより適している。
また、可動体６は、支軸６０、付勢ばね６３を用いず、可動体６を弾性変形可能な合成樹脂で成型し、支軸の代わりに合成樹脂の弾性力を利用して可動体６を可動させ、同じく弾性力を利用して可動体６を付勢させることもできる。
尚、伸長側端部４０１がアウターレール１側の押し曲げられているのは、可動体６がインナーメンバー側に突出することを防ぐためであり、インナーメンバーに引き出しなどの物品を、ねじ等を利用して固定する場合にインナーメンバー２の固定側メンバー側に突出する固定ねじなどの頭と可動体６の干渉を防ぐことができる。
【００２４】
スライドレール１００の最収縮時には、図６で示されるように、当接体１０と可動体６が、当接体１０が伸長側、可動体６が収縮側で隣接する位置になるように設定されている。
そして、この状態で、可動体６は下向きに付勢されているので、当接部６１が被当接部１１の当接位置にあるため、中間メンバー４を伸長側に摺動させようとしても、当接部６１が被当接部１１に当接するため、中間メンバー４の摺動は規制される。
尚、図６において、当接部６１と被当接部１１間に若干の隙間を設けているが、この隙間は製造上のクリアランスであるため隙間を設けなくてもよい。
【００２５】
スライドレール１００は、上記の如く構成され、中間メンバー４に対するインナーメンバー２の伸長方向への摺動、アウターメンバー１に対する中間メンバー４の伸長方向への摺動は次のようになる。
スライドレール１００の最収縮時から、インナーメンバー２が伸長方向に摺動すると、インナー側ボールリテーナー５もインナーメンバー２の移動量の半分の移動量をもって伸長方向に移動する。このとき、中間メンバー４は、当接部６１が被当接部１１に当接するので摺動しない。
そして、インナーメンバー２の摺動により、インナーメンバー２の伸長側端面２１０が、可動体６の係合片６２に接触し、さらに、インナーメンバー２が移動すると、係合片６２が伸長側端面２１０に押されて可動体６が付勢ばね６３の付勢力に抗して、支軸６０の軸心として上向きに回動する。
さらに、インナーメンバー２が移動すると、係合片６２の下端部先端が伸長側端面２１０を乗り越え、係合片６２の下端部先端が下折曲縁２ｂの上面側に接触した状態となる。
この状態で可動部６の当接部１１（当接片１１ａ）が被当接部１１より上方位置となり、中間メンバー４は、摺動可能となり、インナーメンバー２とともに摺動する。
また、可動体６は、下向きに付勢されているので、係合片６２の下端部先端が、下折曲縁２ｂの上面側に接触した状態で、インナーメンバー２と中間メンバー４は伸長していく。
【００２６】
さらに、インナーメンバー２が移動すると、中間メンバー４の前ストッパー部材４１に、インナー側ボールリテーナー５の伸長側端部が当接してインナー側ボールリテーナー５が停止して、次にインナー側ボールリテーナー５の収縮側端部に、インナーメンバー２の後ストッパー部材２００が当接してインナーメンバー２が最大伸長となる。
この状態で、さらにインナーメンバー２が移動すると、中間メンバー４が、インナーメンバー２の後ストッパー部材２００にインナー側ボールリテーナー５ごと、伸長方向に押され、リテーナー後ストッパーがアウター側ボールリテーナー３の収縮側端部に当接するまで摺動しスライドレール１００は最大伸長となる。
このように、伸長側端面２１０は、当接体１０と可動体６の当接を解除する、当接解除部２１としての機能を有している。
【００２７】
インナーメンバー２の下折曲縁２ｂには、切欠状の係合部２２が設けられ、係合部２２は、可動体６の係合片６２の下端部先端が係合する大きさに設定されている。
そして、係合部２２は、インナーメンバー２が中間メンバー４に対して最大伸長した位置での可動体６の係合片６２の位置に対応するように設けられている。
前述のとおり、インナーメンバー２の上下折曲縁２ｂ、２ｂ間で係合片６２（可動体６）が下向きに付勢されているので、インナーメンバー２が中間メンバー４に対して最大伸長となった位置で、係合片６２の下端部先端が係合部２２に入りこみ、インナーメンバー２と中間メンバー４は係合状態となる。
【００２８】
この状態で、インナーメンバー２が収縮方向に移動すると、図９で示すように、係合部２２で係合している係合片６２の伸長側端面６２ｂと係合部２２の伸長側接触端面２２ｂが接触する。そして、伸長側端面６２ｂが、伸長側接触端面２２ｂに収縮側に押される。
可動体６の回動中心軸の支軸６０は、係合部２２より上方で、かつ、収縮側に設定されているので、伸長側端面６２ｂが、伸長側接触端面２２ｂに押されると、可動体６は、支軸６０を中心軸として下方に押し下げられるため、係合片６２が係合部２２に押し込まれインナーメンバー２の収縮方向の移動が規制される。
【００２９】
このインナーメンバー２と中間メンバー４の係合状態となる位置は、インナーメンバー２が中間メンバー４に対して最大伸長した位置である必要がなく、インナーメンバー２が最大伸長した位置で係合させる場合、製造精度の高さも要求されるため、インナーメンバー２の最大伸長した位置から、インナーメンバー２が若干収縮側に移動した位置で係合させるように係合部２２の位置を設定すると製造精度の高さは問題とならないので、コスト上の都合がよい。また、係合部２２は、切欠状の形状に限らず、凹状、凸状、穴状など係合片と係合できる形状であればよい。
【００３０】
ただし、この場合、インナーメンバー２が最大伸長になる前に、係合片６２が係合部２２を通過することになるため、係合片６２の形状は、インナーメンバー２の伸長移動方向では、係合片６２が係合部２２と係合せずに、係合片６２が係合部２２に入ったとしても、抜け出すことができる形状である必要がある。
より具体的には、図１０で示すように、係合片６２の収縮側端面６２ａは、下方から上方に向かって収縮側に後退する傾斜面あるいは曲面とすると、可動体６の回動中心軸の支軸６０は、係合部２２より上方で、かつ、収縮側に設定されているので、収縮側端面６２ａが、係合部２２の収縮側接触端面２２ａに押されると、可動体６は、支軸６０を中心軸として上方に押し上げられるため、係合片６２が係合部２２に入ったとしても、係合片６２の収縮側端面６２ａと係合部２２の収縮側接触端面２２ａによって、可動体６が上方に回動させられる。
該係合状態となる位置は、スライドレール１００を使用する物品の用途に合わせて適宜設定すればよい。
【００３１】
そして、インナーメンバー２と中間メンバー４が、係合片６２が係合部２２によって係合し一体的に摺動する状態から、インナーメンバー２が収縮側に移動すると、中間メンバー４も収縮側にインナーメンバー２と同じ量だけ移動する。
さらに、中間メンバー４がアウターメンバー１に略収容された位置で、アウターメンバー１の当接体１０の係合解除部１２に、可動体６の当接片６１ａの下面が接触する。そして、インナーメンバー２が収縮側に移動すると、図１１に示すように、係合解除部１２に沿って当接片６１ａが上方に押し上げられ、可動体６は上方に回動する。可動体６が上方に回動することによって、係合片６２が係合部２２から外れ、インナーメンバー２の摺動に規制が解除される。そして、インナーメンバー２は摺動可能となり、インナーメンバー２は最収縮位置まで収縮する。
【００３２】
このように、中間メンバー４の可動体６が、当接体１０を収縮側に越えない限りインナーメンバー２の移動が規制されるので、中間メンバー４がアウターメンバー１から飛び出した状態でインナーメンバー２が最収縮状態にはならない。
【００３３】
実施例１において、伸長側端面２１０が、当接体１０と可動体６の当接を解除する、当接解除部２１としての機能を有しており、当接解除部２１がインナーメンバー２の伸長側端面であるから、インナーメンバー２の伸長側端が中間メンバー４の伸長側端を伸長側に越えない限り、中間メンバー４は、移動が規制されるので、中間メンバー４がインターメンバー２の伸長端側を越えてアウターメンバー１から飛び出すことがない。
当然ながら、当接解除部２１として、別途部品が不要であるため、コストを安価にすることができる。
【００３４】
実施例２において、実施例１のスライドレール１００と基本的な構成は共通するため、実施例１と相違する主な点を詳述する。また、符号についても、実施例１と機能的に共通するものについては、実施例１と同じ符号を付与する。
【００３５】
図１２、１３に示すように、当接体１０は、アウターメンバー１の伸長側端部の基材１ａの一部を中間メンバー４側に上下一対に押し曲げ突出させることにより形成されており、上下一対の当接体１０のそれぞれの収縮側端面が被当接部１１、当接体１０の伸長側端面が係合解除部１２とされている。
【００３６】
可動体６は、中間メンバー４の伸長側端部４０１のアウターメンバー１側の面に、中間メンバー４の上下方向の中心に位置する支軸６０で上下方向に回動可能に取り付けられており、可動体６の自重にて下向きに回動するように付勢されている。
可動体６は、板状基材６ａの収縮側に支軸６０に対応した軸孔が形成され、板状基材６ａの収縮側上面と下面がアウターメンバー１側に折り曲げられ、当接片６１ａ、６１ａが形成され、当接片６１ａの伸長側端面が当接部６１とされ、板状基材６ａの中間メンバー４の伸長側端面より前で、伸長側上面と下面がインナーメンバー側に折り曲げられ、そして、該折り曲げ先端をそれぞれ上方と下方に延伸し、該延伸部が係合片６２、６２とされている。
【００３７】
下側の係合片６２は、収縮側端面６２ａが、下方から上方に向かって収縮側に後退する曲面とされ、伸長側端面６２ｂが上方から下方に向かって伸長側に前進する傾斜面とされ、上側の係合片６２も上下方向対称に同形状とされている。
【００３８】
スライドレール１００の最収縮時には、図１４に示すように実施例１と同じく当接体１０と可動体６が、当接体１０が伸長側、可動体６が収縮側で隣接する位置になるように設定されている。この状態で、可動体６は自重にて下向きに付勢されているので、当接部６１が被当接部１１と互いに当接位置にあるため、中間メンバー４を伸長側に摺動させようとしても、当接部６１が被当接部１１に当接するため、中間メンバー４の摺動は規制される。
【００３９】
次に、インナーメンバー２の中間メンバー４側の上下折曲縁２ｂ、２ｂ間に、当接解除部材２０が所定の位置に取り付けられている。
当接解除部材２０は、板状基材２０ａの上下端がそれぞれ、中間メンバー側に突出し、該突出部が当接解除部２１、２１とされる。
当接解除部２１、２１の上下間は、前記可動体６の係合片６２、６２が内包する高さに設定されており、後述するが、当接解除部２１、２１間に可動体６の係合片６２、６２が内包すると、可動体６は水平状態に保たれるように設定されている。
そして、インナーメンバー２の上下折曲縁２ｂ、２ｂの当接解除部材２０の伸長側端と伸長側で隣接する位置に、係合部２２、２２がそれぞれ設けられている。
【００４０】
スライドレール１００は、上記の如く構成され、スライドレール１００の最収縮時から、インナーメンバー２が伸長方向に摺動する時、下側の当接部６１が下側の被当接部１１に当接するので中間メンバー４は摺動しない。
そして、インナーメンバー２の摺動により、インナーメンバー２の当接解除部材２０の当接解除部２１が、可動体６の下側の係合片６２の収縮側端面６２ａに接触し、さらに、インナーメンバー２が移動すると、係合片６２が収縮側端面６２ａの前記曲面に沿って上方に押されて可動体６支軸６０の軸心として上向きに回動する。
さらに、図１５に示すようにインナーメンバー２が移動すると、係合片６２、６２が、当接解除部２１、２１間に可動体６の係合片６２、６２が内包し、可動体６は水平状態に保たれる。
この状態で可動部６の当接部１１、１１（当接片１１ａ、当接片１１ａ）が被当接部１１、１１間の位置となり、中間メンバー４は、摺動可能となり、インナーメンバー２とともに摺動する。
すなわち、被当接部１１、１１間は、可動体６が水平状態で可動部６の当接部１１、１１が通過できる寸法に設定されている。
【００４１】
さらに、インナーメンバー２が移動すると、中間メンバー４の前ストッパー部材４１に、インナー側ボールリテーナー５の伸長側端部が当接してインナー側ボールリテーナー５が停止して、次にインナー側ボールリテーナー５の収縮側端部に、インナーメンバー２の後ストッパー部材２００が当接してインナーメンバー２の最大伸長となる。
この状態で、さらにインナーメンバー２が移動すると、中間メンバー４が、インナーメンバー２の後ストッパー部材２００にインナー側ボールリテーナー５ごと、伸長方向に押され、リテーナー後ストッパーがアウター側ボールリテーナー３の収縮側端部に当接するまで摺動しスライドレール１００が最大伸長となる点は、実施例１と同様である。
【００４２】
しかしながら、実施例２の構成では、当接解除部材２０は、インナーメンバー２に対して内包されるため、当接解除部材２０のインナーメンバー２に対しての摺動方向の位置は、適宜設定可能となっている。
そのため、インナーメンバー２が中間メンバー４に対して最大伸長となる間際に当接解除部２１が可動体６の係合片６２の収縮側端面６２ａに接触するように当接解除部材２０の位置を設定すると、インナーメンバー２が中間メンバー４に対して最大伸長となってから、中間メンバー４の伸長摺動が可能となるようにできる。
【００４３】
このように、当接解除部材２０の位置設定により、インナーメンバー２に対する中間メンバー４の伸長摺動が可能なタイミングを適宜設定することが可能である。
【００４４】
インナーメンバー２に上下折曲縁２ｂ、２ｂに孔状の係合部２２が設けられ、係合部２２は、可動体６の係合片６２の下端部係合する大きさに設定されている。
そして、係合部２２は、インナーメンバー２が中間メンバー４に対して略最大伸長した位置での可動体６の係合片６２の位置に対応するように設けられている。
図１６に示すように係合片６２（可動体６）は自重で下向きに付勢されているので、インナーメンバー２が中間メンバー４に対して略最大伸長となった位置で、係合片６２の下端部先端が係合部２２に入りこみ、インナーメンバー２と中間メンバー４は係合状態となる。
【００４５】
この状態で、インナーメンバー２が収縮方向に移動すると、実施例１と同じく、係合片６２の伸長側端面６２ｂと係合部２２の伸長側接触端面２２ｂが接触し、可動体６が、支軸６０を中心軸として下方に押し下げられるため、係合片６２が係合部２２に押し込まれインナーメンバー２の収縮方向の移動が規制される。
伸長側端面６２ｂは前述のとおり、伸長側に前進した傾斜面であるため、可動体６が該係合状態にある時、伸長側端面６２ｂは略垂直面となるよう設定されている。
【００４６】
前述のとおり係合片６２の収縮側端面６２ａは、下方から上方に向かって収縮側に後退する曲面しているので、実施例１と同じく、係合片６２が係合部２２に入ったとしても、係合片６２の収縮側端面６２ａと係合部２２の収縮側接触端面２２ａによって、可動体６が上方に回動させられるので、伸長側の摺動では係合しない。
【００４７】
そして、インナーメンバー２と中間メンバー４が、係合片６２が係合部２２によって係合し一体的に摺動する状態から、インナーメンバー２が収縮側に移動すると、中間メンバー４も収縮側にインナーメンバー２と同じ量だけ移動する。
さらに、中間メンバー４がアウターメンバー１に略収容された位置で、アウターメンバー１の当接体１０の下側の係合解除部１２に、可動体６の下側の当接片６１ａの下面が接触する。そして、インナーメンバー２が収縮側に移動すると、係合解除部１２によって当接片６１ａが上方に押し上げられ、可動体６は上方に回動する。可動体６が上方に回動することによって、係合片６２が係合部２２から外れ、インナーメンバー２の摺動に規制が解除される。そして、インナーメンバー２は摺動可能となり、インナーメンバー２は最収縮位置まで収縮する。
【００４８】
実施例２において、当接体１０が上下一対、可動体６が上下対称にされ、中間メンバーの上下中心線上に回動中心軸を設定しているのは、可動体６の付勢が自重により行われているため、スライドレール１００を左右一対で使用する場合、スライドレール１００を上下反転して使用することにより右用、左用で兼用するためである。
【符号の説明】
【００４９】
１                アウターメンバー
１０              当接体
１１              被当接部
１２              係合解除部
１００            スライドレール
２                インナーメンバー
２１              当接解除部
２２              係合部
３                アウター側ボールリテーナー
３０              ボール
４                中間メンバー
５                インナー側ボールリテーナー
５０              ボール
６                可動体
６１              当接部
６２              係合片
【図１】
2019010430.tif 000003
【図２】
2019010430.tif 000004
【図３】
2019010430.tif 000005
【図４】
2019010430.tif 000006
【図５】
2019010430.tif 000007
【図６】
2019010430.tif 000008
【図７】
2019010430.tif 000009
【図８】
2019010430.tif 000010
【図９】
2019010430.tif 000011
【図１０】
2019010430.tif 000012
【図１１】
2019010430.tif 000013
【図１２】
2019010430.tif 000014
【図１３】
2019010430.tif 000015
【図１４】
2019010430.tif 000016
【図１５】
2019010430.tif 000017
【図１６】
2019010430.tif 000018